(57)【要約】      （修正有）【課題】インターネットファクシミリ送信を分割して行う場合に、電子メールのメッセージＩＤの重複を無くし、かつ分割送信内の順序がメッセージＩＤから判明するようにする。【解決手段】原稿を１ページ読み取る毎にメッセージＩＤを作成し、かつメッセージＩＤを、時刻、ジョブ番号、キュー番号の他にページ番号から作成する。分割送信する複数の電子メールに、分割順序を示すデータを付加したメッセージＩＤを付与するように構成する。【選択図】    図２
2007036414.tif 000002
【特許請求の範囲】
【請求項１】
１つの画像データを分割し複数の電子メールとしてインターネットファクシミリ送信するための分割送信手段と、電子メールに時刻情報を含むメッセージＩＤを付与するためのメッセージＩＤ付与手段とを備えた、インターネットファクシミリ装置において、
前記メッセージＩＤ付与手段を、分割送信する複数の電子メールに、分割順序を示すデータを付加したメッセージＩＤを付与するように構成したことを特徴とする、インターネットファクシミリ装置。
【請求項２】
前記画像データを所定ページ数取得する毎に、メッセージＩＤ付与手段でメッセージＩＤを付与し、分割送信手段で電子メールを送信するようにすると共に、
前記画像データの最後のページを取得した際に、メッセージＩＤ付与手段で最後の分割送信であることを示すデータを付加したメッセージＩＤを付与するようにしたことを特徴とする、請求項１のインターネットファクシミリ装置。
【請求項３】
メッセージＩＤ付与手段では、メッセージＩＤを前記時刻情報とジョブ番号、送信キュー番号及びページ番号から作成するようにしたことを特徴とする、請求項２のインターネットファクシミリ装置。
【発明の詳細な説明】
【技術分野】
【０００１】
この発明はインターネットファクシミリ装置に関し、特にファクシミリデータを分割送信する際の処理に関する。
【背景技術】
【０００２】
インターネットファクシミリ送信では送信側のメモリの節約のためなどに、１つの画像データあるいは１つの画像ファイルを複数の電子メールに分割して送信することがある。分割送信では、インターネットファクシミリ送信用の電子メールのヘッダの所定の個所に、総ページ数とページ番号とを記載することが知られている（特許文献１）。そしてこの場合に、複数の電子メール間で、メッセージＩＤが同一になることがある。例えばメッセージＩＤを時刻情報を含むように作成し、時刻情報で複数の電子メールを区別するようにすると、時刻情報が秒までの単位やこれよりも粗い単位の場合、同じ時刻に複数の分割メールが生成されることがある。この場合メッセージＩＤは複数の分割メール間で共通となる。分割送信以外の場合、例えば１秒以内に複数の電子メールを作成することは通常は有り得ない。そしてメッセージＩＤは電子メールを特定するための基本的なデータなので、メッセージＩＤが重複すると、送受信の管理上問題がある。
【特許文献１】特開平１０−３２２５０６号公報
【発明の開示】
【発明が解決しようとする課題】
【０００３】
この発明の課題は、インターネットファクシミリ送信を分割して行う場合に、メッセージＩＤの重複を無くし、かつ分割送信内での順序がメッセージＩＤから判明するようにすることにある。
請求項２の発明での追加の課題は、原稿を全ページ読み取る前に送信を開始でき、しかも最終ページであることが受信側で判明するようにすることにある。
請求項３の発明での追加の課題は、メッセージＩＤの重複を防止するための具体的な構成を提供することにある。
【課題を解決するための手段】
【０００４】
この発明は、１つの画像データ、即ち１つの原稿画像に対する画像データやインターネットファクシミリ送信を依頼された１つのファイルの画像データを分割し、複数の電子メールとしてインターネットファクシミリ送信するための分割送信手段と、電子メールに時刻情報を含むメッセージＩＤを付与するためのメッセージＩＤ付与手段とを備えた、インターネットファクシミリ装置において、分割送信する複数の電子メールに、分割順序を示すデータを付加したメッセージＩＤを付与するためのメッセージＩＤ付与手段を設けたことを特徴とする。
【０００５】
好ましくは、画像データを所定ページ数、例えば１ページ取得する毎に、メッセージＩＤ付与手段でメッセージＩＤを付与し、分割送信手段で電子メールを送信するようにすると共に、前記画像データの最後のページを取得した際に、メッセージＩＤ付与手段で最後の分割送信であることを示すデータを付加したメッセージＩＤを付与する。
【０００６】
特に好ましくは、メッセージＩＤ付与手段では、メッセージＩＤを前記時刻情報とジョブ番号、送信キュー番号及びページ番号から作成する。
【発明の効果】
【０００７】
この発明では、分割送信される複数の電子メールに、分割の順序を示すメッセージＩＤを付与するので、秒までの単位の時刻情報を用いてメッセージＩＤを作成する場合でも、分割メール間でメッセージＩＤが同一になることがない。このため分割送信した電子メールの一部が未着になった場合にどの電子メールが未着なのかを特定でき、また受信した複数の電子メールを並べて送信された画像ファイルを復元するのも容易になる。さらに受信ジャーナルや送信ジャーナルにメッセージＩＤが共通の電子メールが記載されることが無くなり、ジャーナルの管理上も便利で、メッセージＩＤをチェックメッセージに利用できる。
【０００８】
ここで画像データを所定ページ数取得する毎に、分割の順序付きのメッセージＩＤを送信すると、画像データ全体を取得する前に送信を開始できるので、インターネットファクシミリ装置のメモリを節約できる。そして画像の最終部分を取得して送信する際に、分割送信の最後であることを示すデータをメッセージＩＤに付与すると、受信側では最後の電子メールを受信したことを認識できる。
さらにメッセージＩＤを、時刻情報とジョブ番号、及び送信キュー番号並びにページ番号から作成すると、分割送信での順序を示すデータを付加したメッセージＩＤを簡単に作成できる。
【発明を実施するための最良の形態】
【０００９】
以下に本発明を実施するための最適実施例を示す。
【実施例】
【００１０】
図１〜図３に、実施例のインターネットファクシミリ装置２，３を示す。４は送信側のＬＡＮで、６はメールサーバで、８はゲートウェイである。１０はインターネットで、受信側のＬＡＮ１２に同様のゲートウェイ１４とメールサーバ１６並びにインターネットファクシミリ装置２と同様のインターネットファクシミリ装置３を接続する。なお、インターネットファクシミリ装置２，３にメールサーバ機能を設ける場合、メールサーバ６，１６は不要である。
【００１１】
インターネットファクシミリ装置２の構成を説明すると、２０は主制御部で、インターネットファクシミリ装置２の最上位のコントローラである。２２はユーザインターフェースで、インターネットファクシミリ装置２の操作上のユーザのマニュアル入力を受け付け、特に複数ページから成る原稿を読み取ってインターネットファクシミリ送信する際に、分割送信するか否かの入力を受け付ける。２４はプリンタ、２６はスキャナで、２８はハードディスクやＲＡＭなどのメモリで、３０は分割送信処理部である。分割送信処理部３０は、スキャナ２６で読み取った複数ページから成る原稿、あるいはＬＡＮ４に接続されたクライアントから送信された複数ページから成る原稿などに対し、ユーザインターフェース２２やクライアントからの指示に従い、１つのファイルを複数ファイルに分割し、複数の電子メールとして送信する。
【００１２】
３２はＬＡＮインターフェースで、ＬＡＮ４に接続されたクライアントからの分割送信の指示等は、ユーザインターフェース２２ではなく、ＬＡＮインターフェース３２で受け付ける。またＬＡＮインターフェース３２は、送信キュー３４（送信の待ち行列）を１〜複数備えて送信ジョブを収容し、所定の順序で実行する。ＬＡＮインターフェース３２のヘッダ作成部３６は送信する電子メールのヘッダを作成し、分割送信を行う際にメッセージＩＤに分割送信のページ数を追加し、分割送信の最後の電子メールには分割送信の最後であることを示すデータを追加する。なお電子メールの本文あるいは添付ファイルは、スキャナ２６で読み取った原稿やクライアントから受信した画像である。ＭＤＮ処理部３８では、受信した電子メールに対するＭＤＮ（既読通知）が要求されている場合に、受信した電子メール中のメッセージＩＤを記載したＭＤＮを作成する。このようにしてインターネットファクシミリの分割送信を受けると、分割送信中のどの電子メールを受信したのかを特定したＭＤＮを作成する。
【００１３】
図２に実施例での分割送信のアルゴリズムを示す。ユーザは分割送信（クイック送信）を行うかどうかを、ユーザインターフェースやクライアント端末などから指定する（ステップ１）。分割送信を行わない場合、送信原稿の全ページをスキャンし（ステップ２）、現在時刻とジョブ番号並びに送信キューの番号からメッセージＩＤを作成し（ステップ３）、マルチページの１通の電子メールとして送信する（ステップ４）。
【００１４】
分割送信を行う場合、例えば１ページ単位で分割送信し、１ページスキャンする毎に（ステップ５）、現在時刻とジョブ番号並びに送信キューの番号とページ番号から、メッセージＩＤを作成する（ステップ６）。そしてスキャンした原稿を１ページ添付した電子メールを送信し（ステップ７）、これを最終ページまで繰り返し（ステップ８）、最終ページでは”end”などの最終ページであることを示す記号や、例えば３ページから成る原稿に対して”／３”等の総ページ数を示すデータを追加する。分割送信は主としてメモリの節約を目的とするから、例えば１ページスキャンする毎に送信し、全ページスキャンしてから送信するようなことは行わない。
【００１５】
図３に分割送信でのメッセージＩＤの例を示す。例えば２００５年６月６日１０時８分５２秒からスキャンを開始したものとする。ここで、スキャンする原稿全体に対するインターネットファクシミリ送信のジョブ番号が５６７１で、送信キューの番号が１番であるとする。この場合、高速のスキャナを用いると、読み込みタイミングによっては、複数のページに対して同一の時刻に読み込みを完了することがあり、ジョブ番号やキュー番号は共通なので、そのままではメッセージＩＤも同一になる。これに対して実施例では、１つのジョブ内でのベージ番号、例えば”Ｐ００１”などをメッセージＩＤに付加する。途中のページまでスキャンした段階では総ページ数は不明なので、”１／３”などの何ページ中の何枚目のページであるかのデータは付加しない。そして最終ページであることは、例えばスキャナで次の原稿用紙を検出できないことから判明し、この場合、ページ番号の後に最終ページであることを示すデータ、例えば”end”を付加する。
【００１６】
ここでは原稿１ページ単位で分割送信するものとしたが、複数ページ単位で分割送信しても良い。また分割送信はスキャナで読み取った原稿に限らず、クライアントからＬＡＮを介して転送された原稿に対して行っても良い。またメッセージＩＤの作成に用いる時刻はＩＤ作成時の時刻である。実施例では、時刻とジョブ番号、キュー番号とページ数とからメッセージＩＤを作成したが、少なくとも時刻を用いることの他は、メッセージＩＤの作成手法自体は任意である。
【００１７】
実施例では、分割送信した複数の電子メール間で、メッセージＩＤが重複することがないので、メッセージＩＤによりどの電子メールかを一意に特定できる。さらにメッセージＩＤにページ番号を付加するので、分割して受信した電子メールから元の原稿画像を復元するのも容易である。またメッセージＩＤが重複することがないので、送信側や受信側のジャーナルの管理が容易で、チェックメッセージとしてメッセージＩＤを利用する際にも便利である。また未着の分割メールがあれば、受信側で容易に検出でき、ＭＤＮを要求しておくことにより、送信側でもどのページがメールボックスから取り出されたかを知ることができる。さらに最後の電子メールに対してその旨の記号を付加するので、最後の部分の画像を受信したことや総ページ数も判明する。
【図面の簡単な説明】
【００１８】
【図１】実施例のインターネットファクシミリのブロック図
【図２】実施例でのメッセージＩＤの作成とインターネットファクシミリ送信とのアルゴリズムを示すフローチャート
【図３】実施例でのメッセージＩＤの作成例を模式的に示す図
【符号の説明】
【００１９】
２，３      インターネットファクシミリ装置
４          送信側ＬＡＮ
６，１６    メールサーバ
８，１４    ゲートウェイ
１０        インターネット
１２        受信側ＬＡＮ
２０        主制御部
２２        ユーザインターフェース
２４        プリンタ
２６        スキャナ
２８        メモリ
３０        分割送信処理部
３２        ＬＡＮインターフェース
３４        送信キュー
３６        ヘッダ作成部
３８        ＭＤＮ処理部
【図１】
2007036414.tif 000003
【図２】
2007036414.tif 000004
【図３】
2007036414.tif 000005